(57)【要約】【課題】低コストで高圧水素が得られる高圧水素製造装置を提供する。【解決手段】高圧水素製造装置１は，水と反応して水素を発生する水素発生物質と水とを，目標とする高圧水素が得られるように秤量して入れられた水素発生器２と，その水素発生器２による高圧水素を蓄える水素貯蔵器３と，水素発生器２から水素貯蔵器３に水素を導入して，その水素貯蔵器３を高圧水素により満たす過程では水素発生器２と水素貯蔵器３とを接続し，一方，水素貯蔵器３が高圧水素で満たされた後は水素発生器２と水素貯蔵器３とを分離する接続部材４とを有する。【選択図】　　　図１
2004107146.tif 000002
【特許請求の範囲】
【請求項１】
水と反応して水素を発生する水素発生物質と水とを，目標とする高圧水素が得られるように秤量して入れられた水素発生器（２）と，その水素発生器（２）による高圧水素を蓄える水素貯蔵器（３）と，前記水素発生器（２）から前記水素貯蔵器（３）に水素を導入して，その水素貯蔵器（３）を高圧水素により満たす過程では前記水素発生器（２）と前記水素貯蔵器（３）とを接続し，一方，前記水素貯蔵器（３）が前記高圧水素で満たされた後は前記水素発生器（２）と前記水素貯蔵器（３）とを分離する接続部材（４）とを有することを特徴とする高圧水素製造装置。
【請求項２】
前記水素発生物質はＮａＨ，Ｎａ，ＮａＢＨ４　，ＭｇＨ２　，Ｍｇ，Ｍｇ（ＢＨ４　）２　，Ｍｇ（ＡｌＨ４　）２　，ＬｉＨ，ＬｉＡｌＨ４　，ＬｉＢＨ４　，Ｌｉ，Ｋ，Ｃａ，ＳｒおよびＢｅから選択される少なくとも一種である，請求項１記載の高圧水素製造装置。
【発明の詳細な説明】
【０００１】
【発明の属する技術分野】
本発明は高圧水素製造装置に関する。
【０００２】
【従来の技術】
従来，この種の装置としては，０．００８〜３．２ＭＰａ程度の水素を発生する水素発生器と，その水素発生器からの水素を加圧する高圧コンプレッサと，加圧された水素を充填される水素貯蔵器とを有するものが知られている（例えば，特許文献１，２参照）。
【０００３】
【特許文献１】
特開平９−２６６００６号公報（第１〜第１９頁）
【特許文献２】
特開平１１−２８３６３３号公報（第１〜第８頁）
【０００４】
【発明が解決しようとする課題】
しかしながら高圧コンプレッサを用いると，高圧水素を得るために多くのエネルギを必要とし，不経済であった。
【０００５】
【課題を解決するための手段】
本発明は，低コストで高圧水素を得ることが可能な前記高圧水素製造装置を提供することを目的とする。
【０００６】
前記目的を達成するため本発明によれば，水と反応して水素を発生する水素発生物質と水とを，目標とする高圧水素が得られるように秤量して入れられた水素発生器と，その水素発生器による高圧水素を蓄える水素貯蔵器と，前記水素発生器から前記水素貯蔵器に水素を導入して，その水素貯蔵器を高圧水素により満たす過程では前記水素発生器と前記水素貯蔵器とを接続し，一方，前記水素貯蔵器が前記高圧水素で満たされた後は前記水素発生器と前記水素貯蔵器とを分離する接続部材とを有する高圧水素製造装置が提供される。
【０００７】
前記装置によれば，水素発生物質および水を秤量して，それらを水素発生器に入れる，といった極めて簡単な手段により低コストで高圧水素を発生させることができる。また水素発生装置を接続部材を介して水素貯蔵器に接続することにより，水素貯蔵器を高圧水素により満たしてそこに蓄えることができる。水素貯蔵器が高圧水素により満たされた後は，水素貯蔵器から水素発生器を分離するので，水素貯蔵器を，例えば燃料電池車に搭載する場合，水素発生器自体の重量や水素発生物質と水との反応生成物の重量が除かれているので，重量軽減上有利である。
【０００８】
【発明の実施の形態】
図１，２において，高圧水素製造装置１は，水素発生器２と，水素貯蔵器３と，それら水素発生器２および水素貯蔵器３を接続し，また分離する接続部材４とを有する。水素発生器２は球形器体５を有し，その球形器体５に接続部材４の第１半体６，開閉弁７を有する水導入管８および圧力計９が設けられている。水素貯蔵器３は，水素発生器２の球形器体５よりも大径の球形器体１０を有し，その球形器体１０に接続部材４の第２半体１１，開閉弁１２を有する水素導出管１３および圧力計１４が設けられている。
【０００９】
水素発生器２の球形器体５内には，水と反応して水素を発生する水素発生物質と水とが，目標とする高圧水素が得られるように秤量して入れられる。水素発生物質としては，例えば，ＮａＨ，Ｎａ，ＮａＢＨ４　，ＭｇＨ２　，Ｍｇ，Ｍｇ（ＢＨ４　）２　，Ｍｇ（ＡｌＨ４　）２　，ＬｉＨ，ＬｉＡｌＨ４　，ＬｉＢＨ４　，Ｌｉ，Ｋ，Ｃａ，ＳｒおよびＢｅから選択される少なくとも一種の粉末または粒状物が用いられる。水素発生物質は第１半体６の筒形主体１５内に設けられた常閉弁（図示せず）を開いて球形器体５内に入れられ，その後，常閉弁は自動的に閉じる。一方，水は，開閉弁７を開いて水導入管８を通じ球形器体５内に入れられ，その後，開閉弁７は閉じられる。
【００１０】
これにより，球形器体５内において水素が発生する。この水素発生中においては球形器体５を冷却するのが望ましい。
【００１１】
水素貯蔵器３において，接続部材４の第２半体１１は筒形主体１６と，その外面に設けられた操作レバー１７を有する。その操作レバー１７がそれの軸線を筒形主体１６の軸線と交差させた一方の位置，例えば，図１，２に示すように筒形主体１６左側の第１位置Ａに在るときは，筒形主体１６内の開閉弁（図示せず）が閉じられると共に第１半体６とは連結不能状態となっている。一方，図３，４に示すように，第１半体６の筒形主体１５を第２半体１１の筒形主体１６に嵌合した状態で操作レバー１７を図１，２の第１位置Ａより反時計方向に回転してそれの軸線を筒形主体１６の軸線と交差させた他方の位置，つまり，図３，４において筒形主体１６右側の第２位置Ｂに保持したときは，第１半体６が第２半体１１に連結されると共に筒形主体１５，１６内の常閉弁および開閉弁がそれぞれ開かれて両球形器体５，１０内が連通する。
【００１２】
これにより水素発生器２の球形器体５内から水素貯蔵器３の球形器体１０内に水素が導入されて，その球形器体１０内が高圧水素により満たされる。
【００１３】
図３，４において第２位置Ｂに在る操作レバー１７を時計方向に回転させて図５に示すように第１位置Ａに保持すると，水素発生器２が水素貯蔵器３から分離されて高圧水素が水素貯蔵器３の球形器体１０内に蓄えられ，また第１半体６の常閉弁および第２半体１１の開閉弁がそれぞれ閉じる。
【００１４】
このように，水素貯蔵器３の球形器体１０内が高圧水素により満たされた後は，水素貯蔵器３から水素発生器２を分離するので，水素貯蔵器３を，例えば燃料電池車に搭載する場合，水素発生器２自体の重量や水素発生物質と水との反応生成物の重量が除かれているので，重量軽減上有利である。
【００１５】
水と水素発生物質との反応生成物は第１半体６の筒形主体１５を通じて球形器体５内より排出される。
【００１６】
〔実施例Ｉ〕
水素発生器２の，容量３００ｃｃのＡｌ合金製球形器体５内に１００ｇのＭｇＨ２　粉末を入れ，次いで１５０ｃｃの水を入れ，その後水素発生器２を水素貯蔵器３に接続部材４を介し接続した。水素発生器２の球形器体５内では，ＭｇＨ２　＋２Ｈ２　Ｏ→Ｍｇ（ＯＨ）２　＋２Ｈ２　，といった化学反応が生じて水素が発生し，その水素は水素貯蔵器３の容量１０００ｃｃのＡｌ合金製球形器体１０内に導入され，約１時間経過後，球形器体１０内における水素圧が１３ＭＰａに到達し，それ以上上昇しなくなったとき水素発生器２を水素貯蔵器３から分離した。
【００１７】
この場合，１０００ｃｃの高圧水素の重量を含む水素貯蔵器３の総重量は１９２２ｇであり，また水素貯蔵器３の全体積は１７０４ｃｍ３　であった。例えば，水素発生兼貯蔵器の容量１３００ｃｃのＡｌ合金製球形器体内に前記と等量のＭｇＨ２　粉末および水を入れて，前記同様に１３ＭＰａの高圧水素を得るとすると，高圧水素および反応生成物の重量を含む水素貯蔵器の総重量は２６７６ｇとなり，また水素貯蔵器の全体積は２２１６ｃｍ３　となる。このことから，軽量化の目的で水素貯蔵器３から水素発生器２を分離可能にしたことの意義が明らかである。前記化学反応において，触媒を用いて反応速度を速めることが可能である。
【００１８】
［実施例ＩＩ〕
水素発生器２において，容量１０００ｃｃのＡｌ合金製球形器体５内に，粒径１．０〜５．０ｍｍの粒状ＮａＨを２９０ｇ入れ，次いで，４０℃のイオン交換水を２５０ｃｃ入れた。これにより，ＮａＨ＋Ｈ２　Ｏ→ＮａＯＨ＋Ｈ２　，といった化学反応が生じて水素が生成された。この場合，ＮａＨは水との反応性が非常に高いので，触媒は不要である。
【００１９】
球形器体５内における水素圧の経時変化を調べたところ，図６，線Ｘ１　の結果を得た。図中，線Ｘ２　は高圧コンプレッサによる場合を示す。
【００２０】
図６から明らかなように，水素発生器２を用いることによって高圧コンプレッサを用いた場合と同様の高圧水素を得ることができるものである。
【００２１】
［実施例ＩＩＩ　〕
水素発生器２において，容量１０００ｃｃのＡｌ合金製球形器体５内に，粒径１．０〜５．０ｍｍの粒状ＮａＢＨ４　を１１４ｇ入れ，次いで，４０℃のイオン交換水を２５０ｃｃ入れた。これにより，ＮａＢＨ４　＋６Ｈ２　Ｏ→ＮａＢＯ２　・４Ｈ２　Ｏ＋４Ｈ２　，といった化学反応が生じて水素が生成された。この場合，ＮａＢＨ４　は水との反応性が非常に高いので，触媒は不要である。
【００２２】
球形器体５内における水素圧の経時変化を調べたところ，図７，線Ｘ１　の結果を得た。図中，線Ｘ２　は高圧コンプレッサによる場合を示す。
【００２３】
図７から明らかなように，水素発生器２を用いることによって高圧コンプレッサを用いた場合と同様の高圧水素を得ることができるものである。
【００２４】
【発明の効果】
本発明によれば，前記のように構成することによって，低コストで高圧水素を得ることが可能な高圧水素製造装置を提供することができる。また高圧水素の輸送，車両の燃料電池への水素の供給等に当っては，水素貯蔵器から水素発生器を分離して，輸送，車載等にとって余分な重量を除くことができる。
【図面の簡単な説明】
【図１】水素貯蔵器への水素導入前において，水素貯蔵器と水素発生器とが分離されている状態を示す高圧水素製造装置の正面図である。
【図２】図１の要部拡大図である。
【図３】水素貯蔵器と水素発生器とを接続して，水素貯蔵器へ水素を導入している状態を示す高圧水素製造装置の正面図である。
【図４】図３の要部拡大図である。
【図５】水素貯蔵器を高圧水素により満たした後において，水素貯蔵器と水素発生器とを分離した状態を示す高圧水素製造装置の正面図である。
【図６】経過時間と球形器体内の水素圧との関係の一例を示すグラフである。
【図７】経過時間と球形器体内の水素圧との関係の他例を示すグラフである。
【符号の説明】
１　　　高圧水素製造装置
２　　　水素発生器
３　　　水素貯蔵器
４　　　接続部材
【図１】
2004107146.tif 000003
【図２】
2004107146.tif 000004
【図３】
2004107146.tif 000005
【図４】
2004107146.tif 000006
【図５】
2004107146.tif 000007
【図６】
2004107146.tif 000008
【図７】
2004107146.tif 000009